(57)【特許請求の範囲】
【請求項１】
１つのホルダケース部（１１）と少なくとも１つの弾性要素（３０）とを備える、発光ダイオードを有するランプ（２２）を収容するためのランプホルダ（１０）であって、このランプ（２２）は、１つのランプベース（２３）から半径方向に突出している複数のロックカム（２７）と中央の１つの熱伝導要素（２５）とを有し、前記ホルダケース部（１１）が、複数の固定部材（４３）によって１つの照明部品（４０）上に取り付け可能であり、且つ前記ランプベース（２３）を収容するために中央の１つの凹部（１３）を有し、この凹部（１３）は、１つのホルダケース壁（１２）によって包囲されていて、このホルダケース壁（１２）は、前記照明部品（４０）に対してほぼ垂直方向に指向された複数のガイド溝（１４）を有し、且つ前記ランプベース側の前記複数のロックカム（１７）を収容するために−当該それぞれのガイド溝（１４）から延在する−前記照明部品（４０）に対して平行に指向された複数のロック溝（１５）を有し、前記ロック溝（１５）を有する前記ホルダケース部（１１）が、前記ランプ（２２）を差し込んで固定するときに差し込み／回転運動に、前記弾性要素（３０）の弾性力に逆らって持ち上げ可能である当該ランプホルダにおいて、
前記弾性要素（３０）が、前記固定部材（４３）によって予負荷を付与されていること、及び前記照明部品（４０）に支持されている、当該予負荷を制限する予負荷ストッパを形成することを特徴とするランプホルダ。
【請求項２】
前記弾性要素（３０）は、前記弾性要素側の少なくとも１つの係止手段（３４）によって前記ホルダ（１０）内に保持されていることを特徴とする請求項１に記載のランプホルダ。
【請求項３】
前記弾性要素（３０）は、前記ホルダケース（１１）に支持されている弾性脚部（３６）を有し、この弾性脚部（３６）は、取り付けブリッジ（３１）から張り出していて、この取り付けブリッジ（３１）は、前記予負荷ストッパを形成し、且つ前記固定部材（４３）によって保持されていることを特徴とする請求項１または２に記載のランプホルダ。
【請求項４】
前記取り付けブリッジ（３１）は、少なくとも１つの係止手段（３４）を形成し、前記係止手段（３４）は、予め取り付ける目的で前記ホルダケース（１１）内に係止されることを特徴とする請求項３に記載のランプホルダ。
【請求項５】
前記弾性要素（３０）は、前記ランプホルダ側の取り付けドーム構造部（４６）の上方に配置されていて、この取り付けドーム構造部（４６）は、前記ホルダケース（１１）の持ち上げ運動を制限する前記持ち上げストッパを形成することを特徴とする請求項１〜４のいずれか１項に記載のランプホルダ。
【請求項６】
前記取り付けブリッジ（３１）は、前記ランプベース（２３）の差し込み方向に指向された、少なくとも１つの支持脚部（３２）と、このランプベース（２３）の差し込み方向に垂直に指向された１つの保持脚部（３３）とを有し、前記保持脚部（３３）が、前記固定部材（４３）によって貫通されていることを特徴とする請求項３に記載のランプホルダ。
【請求項７】
前記取り付けドーム構造部（４６）は、持ち上げストッパとして前記保持脚部（３３）に支持されることが可能であり、前記取り付けドーム構造部（４６）が、前記固定部材（４３）によって貫通されていることを特徴とする請求項５に記載のランプホルダ。
【請求項８】
前記取り付けドーム構造部（４６）と前記保持脚部（３３）とが、前記固定部材（４３）の軸に沿って相対移動可能に配置されていることを特徴とする請求項７に記載のランプホルダ。
【請求項９】
２つの弾性脚部（３６）が、前記取り付けブリッジ（３１）から反対方向に張り出していることを特徴とする請求項３に記載のランプホルダ。
【請求項１０】
前記弾性脚部（３６）の形状が、前記ホルダケース（１１）内の収容室に適合されている、アーチ状に形成されていることを特徴とする請求項３に記載のランプホルダ。
【発明の詳細な説明】
【技術分野】
【０００１】
本発明は、１つのホルダケース部と少なくとも１つの弾性要素とを備える、発光ダイオードを有するランプを収容するためのランプホルダに関する。このランプは、１つのランプベースから半径方向に突出している複数のロックカムと中央の１つの熱伝導要素とを有する。当該ホルダケース部が、複数の固定部材によって１つの照明部品上に取り付け可能であり、且つ当該ランプベースを収容するために中央の１つの凹部を有する。この凹部は、１つのホルダケース壁によって包囲されている。このホルダケース壁は、当該照明部品に対してほぼ垂直方向に指向された複数のガイド溝を有し、且つ当該ランプベース側の当該複数のロックカムを収容するために−当該それぞれのガイド溝から延在する−当該照明部品に対して平行に指向された複数のロック溝を有する。当該ロック溝を有する当該ホルダケース部が、当該ランプを差し込んで固定するときに、差し込み／回転運動によって、当該弾性要素の弾性力に逆らって持ち上げ可能である。
【背景技術】
【０００２】
本出願人が、第一に、その製品カタログ「ＬＥＤ  Ｂｒｉｄｇｉｎｇ」の第３０頁の品番２８．１０７においてこのような種類のランプホルダを開示している。当該ランプホルダは、ランプベースを収容する。当該ランプベースは、差し込み／回転運動によってバヨネット式に固定される。そのホルダケースが、２つの部品から構成されている。この場合、内側にあるホルダケース部が、その外側にあるホルダケース部に対して相対可動に形成されている。ボルトとして形成された複数の固定部材が、当該２つのホルダケース部間に支承されたコイルばねを保持する。当該内側のホルダケース部が、当該ランプベースのロックカムによってこのランプベースを固定する間に当該コイルばねの復元力に逆らって上昇可能である。上記カタログの第３４頁に開示された品番２８．３０１のホルダが、基本的に同様な構造を示す。しかしながら、このホルダは、最初の例と違って１つの部品から成るホルダケースを有する。この場合、複数のボルトの軸によって保持されている複数のコイルばねが、一方ではホルダケースに支持され、且つ他方では当該複数のボルトの頭に支持される。この場合でも、ランプベースが、当該ホルダ内への固定時に当該コイルばねの弾性復元力に逆らって当該ホルダケースを上昇させる。
【０００３】
熱伝導要素を照明部品に対して押圧する力が、当該コイルばねによって当該ランプベース上に付与される。その結果、熱伝導要素と照明部品との成す一対の面が、均一で且つ一定の左右対称な当接圧力を得る。この当接圧力は、−場合によっては、熱伝導性ペースト又は伝熱フィルムのような、その他の熱伝導部材の援用の下で−ランプから照明部品への熱伝達を支援する。一般に、当該照明部品は、放熱器として作用するか又は専ら放熱器として形成及び構成されている。当該放熱の支援は、特に発光ダイオードを有するランプを使用するときに非常に重要になる。ランプの長い寿命が、十分な放熱だけで保証される。
【０００４】
本出願人の上記ランプホルダを照明部品上に固定するときに、そのホルダ要素の損傷を阻止するため、ボルトの軸が、その直径を拡大しているストッパ段を介して、ねじ山なしのボルトの軸に移行している、特殊な構造のボルトが使用される。こうして、当該ボルトの軸が、専ら所定の深さまで、対応するねじ孔内にねじ込まれ得ることが保証される。ホルダが、照明部品上に正確に固定されるものの、締め付け力によって損傷されないように、ボルトが適切に設計されている。
【０００５】
ホルダの固定孔がホローリベットによって貫通されているような種類の、１つの部品から成るケースを有するホルダが、上記の刊行物から裏付けできない従来の技術から公知である。当該ホルダケースは、それぞれのホローリベットに対して相対可動である。１つのコイルばね要素が、当該ホローリベットの頭部と当該ケースの固定孔内に形成されたストッパとの間に差し込まれている。このコイルばね要素は、上記の有益な予負荷（予荷重）を装着されたランプベースの熱伝導要素上に付与する。当該ランプベースを照明部品上に固定するため、ボルトが、当該ホローリベットに挿入される。このボルトの頭が、ねじ込み工程を制限するため、及び締め付け力を制限するため、当該ホローリベットの頭部へ当たり、その一方で、当該ホローリベットの脚部は、照明部品に支持される。
【０００６】
上記の従来の技術は、実際に完全に適合することが実証されているものの、特定の使用分野に関しては、改良の余地があると考えられている。すなわち、ランプベース側の熱伝導要素の当接面と照明部品の当接面との間の、熱伝達を支援する接触力を増大させるためには、ホルダの取り付け時点で既に、弾性要素が予負荷を付与可能であることが、著しく有益になり得ることが実証されている。製造技術的な観点からは、規格化された固定部材を使用できることが望ましい。コストの観点からは、良好に製造可能で且つ付与可能なばね張力に関して容易に取り扱い可能な弾性要素を使用することが望ましい。
【先行技術文献】
【特許文献】
【０００７】
【特許文献１】欧州特許第２３０６０３５号明細書
【特許文献２】国際公開第２００９１５０５９０号パンフレット
【発明の概要】
【発明が解決しようとする課題】
【０００８】
本発明の課題は、上記の改良事項を採用したランプホルダを提供することにある。
【課題を解決するための手段】
【０００９】
本発明は、請求項１に記載の特徴を有するランプホルダによって解決される。すなわち、本発明は、特に、弾性要素が、固定部材によって予負荷を付与されていて、且つ照明部品に支持されている、当該予負荷を制限する予負荷ストッパを形成することを特徴とするランプホルダによって解決される。
【００１０】
本発明の重要な利点は、第一に、弾性要素自体が、ストッパを形成し、このストッパが、固定部材を照明部品内に挿入する深さを制限することから認識することができる。当該ばね張力を付与するこの照明部品とこのストッパとの相互の適切な配置によって、当該予負荷ストッパは、当該弾性要素の最大予負荷を当該固定部材によって設定することを可能にする。この予負荷力は、ランプベースから冷却部材への熱伝達を最適化するための、当該ランプベース側の熱伝導要素と照明要素との間の希望する接触力によって決まる。同時に、当該予負荷ストッパが、ホルダケースを固定するためにこのホルダケース上に作用する最大締め付け力を制限する。
【００１１】
特に好適な実施の形態は、弾性要素が、ホルダケースに支持されている弾性脚部を有することを提唱する。この弾性脚部は、取り付けブリッジから張り出している。この取り付けブリッジは、予備負荷ストッパを形成し、且つ固定部材によって保持されている。この場合、当該弾性要素は、広義の意味では板ばねとして形成されている。この板バネは、低コストに製造され得、且つ材料を適切に選択することによって又は熱処理によってその弾性特性を簡単に適合され得る。特に、当該弾性要素は、予備負荷を含めて適切な材料から打ち出されて湾曲され得るために、作業の進行中に製造され得る。
【００１２】
当該取り付けを簡単にするため、弾性要素が、この弾性要素側の少なくとも１つの係止手段によってホルダ内に予め取り付けられて保持されていることが提唱されている。
【００１３】
したがって、特に、取り付けブリッジが、少なくとも１つの係止手段を形成することが提唱されている。当該係止手段は、予め取り付ける目的でホルダケース内に固定される。
【００１４】
特に好適な別の実施の形態では、弾性要素が、ランプホルダ側の取り付けドーム構造部の上方に配置されていることによって、当該弾性要素が、構造体に対して押圧されるときに、可塑変形を引き起こす力から保護されることが提唱されている。当該取り付けドーム構造部は、ホルダケースの上昇運動を制限する持ち上げストッパを形成する。
【００１５】
さらに、取り付けブリッジが、特に照明部品に対して垂直に指向された、予負荷ストッパを形成する少なくとも１つの支持脚部と、この照明部品に対してほぼ平行に指向された１つの保持脚部とを有することが提唱されている。固定部材が、当該保持脚部を貫通している。
【００１６】
本発明の好適なその他の構成では、取り付けドーム構造部が、持ち上げストッパとして保持脚部に支持されることが提唱されている。この場合、固定部材が、当該取り付けドーム構造部を貫通している。
【００１７】
したがって、取り付けドーム構造部と保持脚部とが、固定部材の軸に沿って相対移動可能に配置されていることが提唱され得る。
【００１８】
さらに、２つの弾性脚部が、取り付けブリッジから反対方向に張出していることが提唱されている。
【００１９】
また、弾性脚部の形状が、ホルダケース内の収容室に適合されている、特にアーチ状に形成されていることが考えられる。
【００２０】
本発明のその他の利点及び本発明の改良された構成は、以下の実施の形態に記載されている。
【図面の簡単な説明】
【００２１】
【図１】本発明のホルダ内に保持するためのランプベースを下から見た透視図である。
【図２】本発明のホルダを上から見た透視図である。
【図３】本発明のホルダを上から見た平面図である。
【図４】本発明の弾性要素の透視図である。
【図５】図４による弾性要素の側面図である。
【図６】図４による弾性要素の平面図である。
【図７】図３の切断線Ａ−Ａに沿ったホルダケース部の、取り付け前の弾性要素を伴う断面図である。
【図８】ねじ込まれたボルトを伴う図７による断面図である。
【図９】ボルトによって予負荷を付与された弾性要素を伴う図８による断面図である。
【図１０】最大許容ばね張力を付与されたときの図９による断面図である。
【発明を実施するための形態】
【００２２】
本発明のベースが、全図において符号１０で付記されている。
【００２３】
図２に透視図で表示されたホルダ１０が、ホルダケース部１１を有する。このホルダケース部１１の内側ホルダケース壁１２が、中心に位置するほぼ円柱状の凹部１３を有する。
【００２４】
図示されなかった照明部品に対して垂直方向に、又はベース２３の差し込み方向に指向されたガイド溝１４が、ホルダケース１１内に、すなわち内側ホルダケース壁１２の面に沿って形成されている。このガイド溝１４は、当該図示されなかった照明部品に対してほぼ平行に指向されたロック溝１５につながっている。その他の垂直溝１６が、これらの垂直溝１６につながっている水平溝１７と一緒に、コード化部材として作用する。当該ホルダ１０内に差し込み可能なランプの種類が、これらのコード化部材によって決定可能である。
【００２５】
当該図示されなかった照明部品に対して平行に指向され、且つベース下面１８（図１参照）に対して平行に指向された上壁１９が、まず、長穴状のベース接触凹部２０を有し、さらに、弾性要素用の収容室２１を有する。
【００２６】
図２及び３に示されたホルダ１０は、これらの図において符号２２で付記されているランプを収容するために使用される。
【００２７】
当該ランプ２２は、ランプベース２３を有する。ほぼ円柱状の熱伝導要素２５が、このランプベース２３のベースケース２４からホルダの方向に突出している。
【００２８】
複数のベース接触ピン２６が、熱伝導要素２５に対して同軸に周設されたベース下面１８から突出している。これらのベース接触ピン２６は、その位置及び配置においてホルダ１０のベース接触凹部２０に対応する。
【００２９】
半径方向に指向された複数のロックカム２７及び符号２８で付記されている複数のコード化カムが、熱伝導要素２５の円周面から半径方向に突出している。これらのロックカム２７は、複数のガイド溝１４と複数のロック溝１５とに対応する。これらのコード化カム２８は、複数の垂直溝１６と複数の水平溝１７とに対応する。
【００３０】
図面において符号３０で付記されている複数の弾性要素が、複数の収容室２１内に差し込まれていることが、ホルダ１０の平面図である図３から見て取れる。以下で、これらの弾性要素を詳しく説明する。当該説明のために、まず、１つの弾性要素３０の透視図を図４に示す。図面において符号３０で付記されているこの弾性要素は、中央の取り付けブリッジ３１を第一に有する。この取り付けブリッジ３１は、２つの支持脚部３２とこれらの支持脚部３２を結合させる１つの保持脚部３３とから形成されている。これらの支持脚部３２のうちの少なくとも１つの支持脚部３２が、しかしながら好ましくは双方の支持脚部３２がそれぞれ、１つの係止手段３４を有する一方で、保持脚部３３は、貫通孔３３を有する。
【００３１】
反対方向に向けられている２つの弾性脚部３６が、取り付けブリッジ３１から張り出している。これらの弾性脚部３６は、後で説明するように、熱伝導要素２５から図示されなかった照明部品４０までの熱伝導を支援する接触圧力を発生させる。
【００３２】
図７は、図３の切断線Ａ−Ａに沿ったホルダ１０の断面図である。この断面図は、収容室２１とこの収容室２１内に差し込まれている弾性要素３０とを示す。さらに、冷却要素として作用する照明部品４０が示されている。
【００３３】
ホルダケース底２９が固定孔４１を有することが、図７から分かる。この固定孔４１は、貫通孔３５と照明部品４０のねじ孔４２とに揃うように指向されている。
【００３４】
図７には、弾性要素３０を固定する前の配置が示されている。このために、弾性要素３０が、収容室２１内に差し込まれてある。この場合、好適な実施の形態では、取り付けブリッジ３１の、ノッチばねとして形成されている係止手段３４が、ホルダケース部側の、同様に図示されなかった切欠き凹部内に嵌入する。
【００３５】
図８には、ホルダ１０を照明部品４０に固定するためには、ボルトの頭の下面が、弾性要素３０の支持脚部３２上に当接するまで、どうやって、ボルト４４としての固定部材４３が、弾性要素３０の貫通孔３５とホルダケース底２９の固定孔４１とを貫通し、ねじ孔４２内にねじ込まれるかが示されている。図８に示されたこの状態では、弾性要素３０の保持脚部３３が、照明部品４０の表面Ｏから距離ａの間隔をあけて配置されている。
【００３６】
図９では、ボルト４４が、ねじ孔４４内に図８の位置に比べてさらにねじ込まれてある。このために、支持脚部３２が、照明部品４０の表面Ｏ上に当接する結果、当該支持脚部３２が、さらなる移動を阻止するまで、取り付けブリッジ３１も、照明部品４０の方向に移動される。
【００３７】
当該取り付けブリッジの移動中にホルダケース底２０上に当接している弾性脚部３６が、当該移動に応じてさらに予負荷を付与され、そして弾性復元力を発生させる。この意味において、当該支持脚部３２は、予負荷ストッパとして作用する。何故なら、当該支持脚部３２は、弾性要素３０の取り付けブリッジ３１の予負荷移動を制限するからである。
【００３８】
図１０を説明するため、まず、図１及び２を再び参照する。
【００３９】
図１に示されたランプ２２を図２に示されたホルダ１０内に固定するため、このランプ２２は、その熱伝導要素２５によって凹部１３内に差し込まれる。この場合、ロックカム２７とコード化カム２８とが、対応するガイド溝１４と垂直溝１６とに整合する。稼働熱を、ランプ２２内に配置された発光ダイオード素子から熱伝導要素２５を通じて図２に示されなかった照明部品４０に対して放出するため、この熱伝導要素の底部が、当該照明部品４０の表面Ｏ上に当接する。すると、ロックカム２７が、ロック溝１５のガイド領域内に存在する。当該ロック溝１５の壁が、照明部品４０に向かって傾斜された面取り部又はテーパ部４５を有する。
【００４０】
ホルダ１０が、ボルトの軸に沿って照明部品４０に対して移動可能である。ホルダケース部１１が、テーパ部４５に対するロックカム２７の摺動時に上昇されるように、当該ロックカム２７とロック溝１５とが一緒に配置又は設計されている。その結果、図１０に示されたホルダ１０と照明装置４０との間の隙間Ｓが発生する。
【００４１】
弾性要素３０が、その保持脚部３３によってボルトの頭に当接し、このボルトの頭によって保持される。したがって、照明部品４０に対する弾性要素３０の相対移動が排除されている。その結果、弾性脚部３６のばね張力が、ホルダ１０の相対移動によって増加される。ロックカム２７が、ロック溝１５に係合することによって、ホルダ１０とベース２３とが、同時に締め付けられるように連結する結果、上記弾性復元力が、ランプベース２３に対して作用する。その結果、当該弾性要素３０が、照明部品４０と熱伝導要素２５の底部との対向する当接面に、熱伝達を支援する均一な当接圧力を付与する。
【００４２】
最後に、ホルダケース底２９から形成された取り付けドーム構造部４６について説明する。この取り付けドーム構造部４６は、ホルダ１０の固定孔４１を包囲し、したがって保持脚部３３の下方に配置されている。この取り付けドーム構造部４６は、持ち上げストッパとして作用する。ホルダ１０がさらに上昇しようとしても、この持ち上げストッパは、保持脚部３３に支持固定され、当該方式の持ち上げストッパによってその上昇移動を制限する。こうして、弾性要素３０の損傷を伴い得る弾性脚部３６の過伸展と当該過伸展から生じる可塑変形とが阻止される。こうして、当該弾性要素３０が、許容される接触圧力を確実に且つ持続して提供できることが保証される。
【符号の説明】
【００４３】
１０    ホルダ
１１    ホルダケース部
１２    内側ホルダケース壁
１３    凹部
１４    ガイド溝
１５    ロック溝
１６    垂直溝
１７    水平溝
１８    ベース下面
１９    上壁
２０    ベース接触凹部
２１    収容室
２２    ランプ
２３    ランプベース
２４    ベースケース
２５    ベース側の熱伝導要素
２６    ベース接触ピン
２７    ロックカム
２８    コード化カム
２９    ホルダケース底
３０    弾性要素
３１    取り付けブリッジ
３２    取り付けブリッジ３１の支持脚部
３３    保持脚部
３４    係止手段
３５    保持脚部３３の貫通孔
３６    弾性脚部
４０    照明部品
４１    ホルダケース底２９の固定孔
４２    ねじ孔
４３    固定部材
４４    ボルト
４５    テーパ部
４６    取り付けドーム構造部
ａ      距離
ｂ      距離
Ｏ      照明部品４０の表面
Ｓ      隙間
【図１】
0005903523.tif 000002
【図２】
0005903523.tif 000003
【図３】
0005903523.tif 000004
【図４】
0005903523.tif 000005
【図５】
0005903523.tif 000006
【図６】
0005903523.tif 000007
【図７】
0005903523.tif 000008
【図８】
0005903523.tif 000009
【図９】
0005903523.tif 000010
【図１０】
0005903523.tif 000011